(57)【要約】【課題】  点灯させた際の外観を向上させることが可能なＬＥＤ照明装置を提供すること。【解決手段】  ｘ方向に配列された複数のＬＥＤ２２を含む光源部２と、ｘ方向両側に配置され且つ互いに連結可能な第１連結部１５および第２連結部１６と、を各々が有する複数のＬＥＤ照明ユニットＢ１を備え、隣り合うＬＥＤ照明ユニットＢ１の第１連結部１５と第２連結部１６とが連結されることにより、隣り合うＬＥＤ照明ユニットＢ１を互いに回転させる回転中心Ｏ１が形成されている。【選択図】  図１８
2019106340.tif 000002
【特許請求の範囲】
【請求項１】
第１方向に配列された複数のＬＥＤを含む光源部と、第１方向両側に配置され且つ互いに連結可能な第１連結部および第２連結部と、を各々が有する複数のＬＥＤ照明ユニットを備え、
隣り合う前記ＬＥＤ照明ユニットの前記第１連結部と前記第２連結部とが連結されることにより、隣り合う前記ＬＥＤ照明ユニットを互いに回転させる回転中心が形成されている、ＬＥＤ照明装置。
【請求項２】
前記各ＬＥＤ照明ユニットのユニット中心と前記回転中心との距離は一定である、請求項１に記載のＬＥＤ照明装置。
【請求項３】
前記ＬＥＤ照明ユニットにおける前記複数のＬＥＤは、一定のピッチで配列されており、
隣り合う前記ＬＥＤ照明ユニットの前記第１方向が一致する状態において、これらのＬＥＤ照明ユニットの最も近いＬＥＤ同士の距離は、前記ピッチと同じである、請求項１または２に記載のＬＥＤ照明装置。
【請求項４】
隣り合う前記ＬＥＤ照明ユニット同士を接続するケーブルを備え、
前記ＬＥＤ照明ユニットは、前記光源部を収容するケースを有する、請求項１ないし３のいずれかに記載のＬＥＤ照明装置。
【請求項５】
前記複数のＬＥＤ照明ユニットは、前記回転中心を通り且つ前記第１方向と直角である第２方向に延びる軸周りに回転し、
一対の前記ケーブルを備えており、
一方の前記ケーブルは、前記第１方向および前記第２方向のいずれにも直角である第３方向視において前記回転中心と重なる部位であって、前記回転中心に対して前記第３方向一方側から前記第３方向他方側に迂回する迂回部を有し、
他方の前記ケーブルは、前記第３方向視において前記回転中心と重なる部位であって、前記回転中心に対して前記第３方向他方側から前記第３方向一方側に迂回する迂回部を有する、請求項４に記載のＬＥＤ照明装置。
【請求項６】
前記ケースは、前記第１方向端縁に到達し且つ前記ケーブルを挿通させうる大きさであるスリットが形成された底板部を有する、請求項４または５に記載のＬＥＤ照明装置。
【請求項７】
前記光源部は、前記複数のＬＥＤが搭載された主面および前記主面に形成され且つ前記複数のＬＥＤに導通する端子部を有する基板を有し、
前記ケーブルは、芯線と前記芯線を覆う被覆からなり、前記ケースにおいて前記基板に対して前記主面とは反対側に収容された被収容部を有し、
前記端子部に当接する姿勢で前記基板に固定される固定部と、前記固定部が前記端子部に当接した状態で前記ケーブルの前記被収容部の前記被覆を貫通して前記芯線に接する刃板部と、を有する導電性材料からなる接続部材を備える、請求項４ないし６のいずれかに記載のＬＥＤ照明装置。
【請求項８】
前記第１連結部および前記第２連結部は、特定の相対角度において回転を抑制する回転抑制機構を有する、請求項１ないし７のいずれかに記載のＬＥＤ照明装置。
【請求項９】
前記ＬＥＤ照明ユニットは、外部の磁性体に固定するための磁力部材を有する、請求項１ないし８のいずれかに記載のＬＥＤ照明装置。
【請求項１０】
前記複数のＬＥＤ照明ユニットの回転を阻止する外ケースをさらに備える、請求項１ないし９のいずれかに記載のＬＥＤ照明装置。
【発明の詳細な説明】
【技術分野】
【０００１】
本発明は、ＬＥＤ照明装置に関する。
【背景技術】
【０００２】
ＬＥＤを光源として有するＬＥＤ照明装置の一例として、特許文献１には、各々が複数のＬＥＤを有する複数のＬＥＤ照明ユニットを備えるＬＥＤ照明装置が開示されている。同文献に開示されたＬＥＤ照明装置は、隣り合うＬＥＤ照明ユニット同士が、ケーブルのみによって連結されている。ＬＥＤ照明装置を点灯させると、複数のＬＥＤ照明ユニットが光の帯のような外観を呈する。
【先行技術文献】
【特許文献】
【０００３】
【特許文献１】大韓民国公開特許第１０−２０１０−０１２７８９５号公報
【発明の概要】
【発明が解決しようとする課題】
【０００４】
ケーブルは、可撓性があり、不定形である。このため、隣り合うＬＥＤ照明ユニット同士は、様々な姿勢をとるものであり、たとえば互いの長手方向が平行な姿勢で短手方向にずれた姿勢をとりうる。このようなＬＥＤ照明装置を点灯させると、複数のＬＥＤ照明ユニットにより形成される光の帯が不連続となり、歪な印象を与えてしまうという問題がある。
【０００５】
本発明は、上記した事情のもとで考え出されたものであって、点灯させた際の外観を向上させることが可能なＬＥＤ照明装置を提供することをその課題とする。
【課題を解決するための手段】
【０００６】
本発明によって提供されるＬＥＤ照明装置は、第１方向に配列された複数のＬＥＤを含む光源部と、第１方向両側に配置され且つ互いに連結可能な第１連結部および第２連結部と、を各々が有する複数のＬＥＤ照明ユニットを備え、隣り合う前記ＬＥＤ照明ユニットの前記第１連結部と前記第２連結部とが連結されることにより、隣り合う前記ＬＥＤ照明ユニットを互いに回転させる回転中心が形成されている。
【０００７】
本発明の好ましい実施の形態においては、各ＬＥＤ照明ユニットのユニット中心と前記回転中心との距離は一定である。
【０００８】
本発明の好ましい実施の形態においては、前記ＬＥＤ照明ユニットにおける前記複数のＬＥＤは、一定のピッチで配列されており、隣り合う前記ＬＥＤ照明ユニットの前記第１方向が一致する状態において、これらのＬＥＤ照明ユニットの最も近いＬＥＤ同士の距離は、前記ピッチと同じである。
【０００９】
本発明の好ましい実施の形態においては、隣り合う前記ＬＥＤ照明ユニット同士を接続するケーブルを備え、前記ＬＥＤ照明ユニットは、前記光源部を収容するケースを有する。
【００１０】
本発明の好ましい実施の形態においては、前記複数のＬＥＤ照明ユニットは、前記回転中心を通り且つ前記第１方向と直角である第２方向に延びる軸周りに回転し、一対の前記ケーブルを備えており、一方の前記ケーブルは、前記第１方向および前記第２方向のいずれにも直角である第３方向視において前記回転中心と重なる部位であって、前記回転中心に対して前記第３方向一方側から前記第３方向他方側に迂回する迂回部を有し、他方の前記ケーブルは、前記第３方向視において前記回転中心と重なる部位であって、前記回転中心に対して前記第３方向他方側から前記第３方向一方側に迂回する迂回部を有する。
【００１１】
本発明の好ましい実施の形態においては、前記ケースは、前記第１方向端縁に到達し且つ前記ケーブルを挿通させうる大きさであるスリットが形成された底板部を有する。
【００１２】
本発明の好ましい実施の形態においては、前記光源部は、前記複数のＬＥＤが搭載された主面および前記主面に形成され且つ前記複数のＬＥＤに導通する端子部を有する基板を有し、前記ケーブルは、芯線と前記芯線を覆う被覆からなり、前記ケースにおいて前記基板に対して前記主面とは反対側に収容された被収容部を有し、前記端子部に当接する姿勢で前記基板に固定される固定部と、前記固定部が前記端子部に当接した状態で前記ケーブルの前記被収容部の前記被覆を貫通して前記芯線に接する刃板部と、を有する導電性材料からなる接続部材を備える。
【００１３】
本発明の好ましい実施の形態においては、前記第１連結部および前記第２連結部は、特定の相対角度において回転を抑制する回転抑制機構を有する。
【００１４】
本発明の好ましい実施の形態においては、前記ＬＥＤ照明ユニットは、外部の磁性体に固定するための磁力部材を有する。
【００１５】
本発明の好ましい実施の形態においては、前記複数のＬＥＤ照明ユニットの回転を阻止する外ケースをさらに備える。
【発明の効果】
【００１６】
本発明によれば、点灯させた際の外観を向上させることができる。
【００１７】
本発明のその他の特徴および利点は、添付図面を参照して以下に行う詳細な説明によって、より明らかとなろう。
【図面の簡単な説明】
【００１８】
【図１】本発明の第１実施形態に係るＬＥＤ照明装置を示す斜視図である。
【図２】本発明の第１実施形態に係るＬＥＤ照明装置を示す要部斜視図である。
【図３】本発明の第１実施形態に係るＬＥＤ照明装置を示す平面図である。
【図４】本発明の第１実施形態に係るＬＥＤ照明装置を示す要部平面図である。
【図５】本発明の第１実施形態に係るＬＥＤ照明装置を示す正面図である。
【図６】本発明の第１実施形態に係るＬＥＤ照明装置を示す底面図である。
【図７】本発明の第１実施形態に係るＬＥＤ照明装置を示す左側面図である。
【図８】本発明の第１実施形態に係るＬＥＤ照明装置を示す右側面図である。
【図９】図３のＩＸ−ＩＸ線に沿う要部断面図である。
【図１０】図９のＸ−Ｘ線に沿う断面図である。
【図１１】図９のＸＩ−ＸＩ線に沿う断面図である。
【図１２】本発明の第１実施形態に係るＬＥＤ照明装置を示す要部拡大斜視図である。
【図１３】図１１のＸＩＩＩ−ＸＩＩＩ線に沿う要部拡大断面図である。
【図１４】本発明の第１実施形態に係るＬＥＤ照明装置の接続部材を示す（ａ）は平面図であり、（ｂ）は斜視図であり、（ｃ）は正面図であり、（ｄ）は側面図であり、（ｅ）は底面図である。
【図１５】図３のＸＶ−ＸＶ線に沿う要部拡大断面図である。
【図１６】本発明の第１実施形態に係るＬＥＤ照明装置のＬＥＤ照明ユニットを示す分解斜視図である。
【図１７】本発明の第１実施形態に係るＬＥＤ照明装置を示す要部分解斜視図である。
【図１８】本発明の第１実施形態に係るＬＥＤ照明装置のＬＥＤ照明ユニットを回転させた例を示す平面図である。
【図１９】図１８のＸＩＸ−ＸＩＸ線に沿う要部拡大断面図である。
【図２０】図１８のＸＩＸ−ＸＩＸ線に沿う他の状態を示す要部拡大断面図である。
【図２１】図１８のＸＩＸ−ＸＩＸ線に沿うさらに他の状態を示す要部拡大断面図である。
【図２２】（ａ），（ｂ）は、カバーの変形例を示す要部拡大断面図である。
【図２３】第１連結部および第２連結部の変形例を示す要部側面図である。
【図２４】（ａ）〜（ｃ）は、図２３のＸＸＩＶ−ＸＸＩＶ線に沿う要部拡大断面図である。
【図２５】本発明の第２実施形態に係るＬＥＤ照明装置を示す平面図である。
【図２６】図２５のＸＸＶＩ−ＸＸＶＩ線に沿う要部拡大断面図である。
【図２７】本発明の第３実施形態に係るＬＥＤ照明装置を示す斜視図である。
【図２８】図２７のＸＸＶＩＩＩ−ＸＸＶＩＩＩ線に沿う断面図である。
【図２９】本発明の第３実施形態に係るＬＥＤ照明装置の変形例を示す断面図である。
【発明を実施するための形態】
【００１９】
以下、本発明の好ましい実施の形態につき、図面を参照して具体的に説明する。
【００２０】
＜第１実施形態＞
図１〜図２１は、本発明の第１実施形態に係るＬＥＤ照明装置を示している。本実施形態のＬＥＤ照明装置Ａ１は、複数のＬＥＤ照明ユニットＢ１および一対のケーブル３Ａ，３Ｂを備えている。複数のＬＥＤ照明ユニットＢ１の個数は、特に限定されない。ＬＥＤ照明装置Ａ１は、複数のＬＥＤ照明ユニットＢ１が互いに回転することにより、様々な形態で発光し得る。以降の説明においては、２つのＬＥＤ照明ユニットＢ１を備えるＬＥＤ照明装置Ａ１を例として説明する。
【００２１】
図１は、ＬＥＤ照明装置Ａ１を示す斜視図である。図２は、ＬＥＤ照明装置Ａ１を示す要部斜視図である。図３は、ＬＥＤ照明装置Ａ１を示す平面図である。図４は、ＬＥＤ照明装置Ａ１を示す要部平面図である。図５は、ＬＥＤ照明装置Ａ１を示す正面図である。図６は、ＬＥＤ照明装置Ａ１を示す底面図である。図７は、ＬＥＤ照明装置Ａ１を示す左側面図である。図８は、ＬＥＤ照明装置Ａ１を示す右側面図である。図９は、図３のＩＸ−ＩＸ線に沿う要部断面図である。図１０は、図９のＸ−Ｘ線に沿う断面図である。図１１は、図９のＸＩ−ＸＩ線に沿う断面図である。図１２は、ＬＥＤ照明装置Ａ１を示す要部拡大斜視図である。図１３は、図１１のＸＩＩＩ−ＸＩＩＩ線に沿う要部拡大断面図である。図１４は、ＬＥＤ照明装置Ａ１の接続部材６を示す（ａ）は平面図であり、（ｂ）は斜視図であり、（ｃ）は正面図であり、（ｄ）は側面図であり、（ｅ）は底面図である。図１５は、図３のＸＶ−ＸＶ線に沿う要部拡大断面図である。図１６は、ＬＥＤ照明装置Ａ１のＬＥＤ照明ユニットを示す分解斜視図である。図１７は、ＬＥＤ照明装置Ａ１を示す要部分解斜視図である。図１８は、ＬＥＤ照明装置Ａ１のＬＥＤ照明ユニットを回転させた例を示す平面図である。図１９は、図１８のＸＩＸ−ＸＩＸ線に沿う要部拡大断面図である。図２０は、図１８のＸＩＸ−ＸＩＸ線に沿う他の状態を示す要部拡大断面図である。図２１は、図１８のＸＩＸ−ＸＩＸ線に沿うさらに他の状態を示す要部拡大断面図である。これらの図において、ｘ方向は第１方向に相当し、ｙ方向は第３方向に相当し、ｚ方向は第２方向に相当する。ｘ方向およびｙ方向は、個々のＬＥＤ照明ユニットＢ１の向きに依存する。本実施形態においては、ｚ方向は、ＬＥＤ照明装置Ａ１全体で共通である。
【００２２】
〔ＬＥＤ照明ユニットＢ１〕
ＬＥＤ照明ユニットＢ１は、ケース１、光源部２、カバー４、磁力部材５および接続部材６を有する。
【００２３】
〔ケース１〕
ケース１は、光源部２を収容するものであり、ｘ方向に長く延びている。ケース１は、たとえば樹脂からなる。本実施形態においては、ケース１は、底板部１１、一対の側板部１２、一対の端板部１３、第１連結部１５および第２連結部１６を有する。ケース１は、ｚ方向一方側（図２および図９〜図１１の図中上側）に開口している。
【００２４】
底板部１１は、ｘ方向を長手方向とし、ｙ方向を幅方向とし、ｚ方向を厚さ方向とする長矩形板状である。一対の側板部１２は、底板部１１のｙ方向両端に繋がっている。側板部１２は、ｘ方向を長手方向とし、ｚ方向を幅方向とし、ｙ方向を厚さ方向とする長矩形板状である。一対の端板部１３は、底板部１１および側板部１２のｘ方向両端に繋がっている。端板部１３は、ｘ方向を厚さ方向とする矩形板状である。
【００２５】
底板部１１は、図６、図９〜図１１、図１３および図１６に示すように、雌ねじ部１１１、保持孔１１２、凹部１１３およびスリット１１４を有する。
【００２６】
雌ねじ部１１１は、ｚ方向上側に向けて突出しており、ｚ方向周りに回転するボルト（雄ねじ）に螺合する雌ねじが形成されている。図示された例においては、底板部１１は、ｘ方向に互いに離間する２つの雌ねじ部１１１を有する。雌ねじ部１１１には、光源部２を固定するための後述のボルト２９が螺合される。
【００２７】
保持孔１１２は、底板部１１をｚ方向に貫通している。図示された例においては、保持孔１１２は、底板部１１の略中央に形成されており、ｚ方向視においてｘ方向を長手方向とする長矩形状である。保持孔１１２は、磁力部材５を保持するためのものである。
【００２８】
凹部１１３は、ｚ方向下側に凹む部分である。図示された例においては、凹部１１３は、ｙ方向に沿う溝状である。図示された例においては、底板部１１は、ｘ方向に互いに離間する２対の端板部１３を有する。凹部１１３は、接続部材６の一部を収容するためのものである。
【００２９】
スリット１１４は、底板部１１のｘ方向端縁に到達しており、ｘ方向に長く延び且つｚ方向に貫通している。スリット１１４は、ケーブル３Ａおよびケーブル３Ｂのいずれかを挿通させうる大きさであり、図示された例においては、スリット１１４のｙ方向寸法が、ケーブル３Ａおよびケーブル３Ｂのいずれかの直径よりも大きい。図示された例においては、底板部１１の両端に一対ずつのスリット１１４が形成されている。一対のスリット１１４は、互いに平行に配置されている。
【００３０】
側板部１２は、図１、図２、図５、図７、図８、図１０および図１１に示すように、溝部１２１を有する。溝部１２１は、側板部１２のｙ方向外側に設けられており、ｙ方向内側に凹んでいる。溝部１２１は、側板部１２のｘ方向全長にわたって形成されている。図示された例においては、溝部１２１は、ｘ方向視において矩形状である。
【００３１】
端板部１３は、図１、図２、図４、図７、図８、図９、図１２、図１６および図１７に示すように、スリット１３１および凹部１３２を有する。
【００３２】
スリット１３１は、端板部１３のｚ方向上端に到達しており、ｚ方向に長く延びｘ方向に貫通している。スリット１３１は、ケーブル３Ａおよびケーブル３Ｂのいずれかを挿通させうる大きさであり、図示された例においては、凹部１１３のｙ方向寸法が、ケーブル３Ａおよびケーブル３Ｂのいずれかの直径よりも大きい。図示された例においては、端板部１３には、一対のスリット１３１が形成されている。一対のスリット１３１は、互いに平行に配置されている。
【００３３】
凹部１３２は、端板部１３のｘ方向内側に設けられており、ｘ方向外側に凹んでいる。凹部１３２は、カバー４の後述の突起４２１を収容するためのものである。
【００３４】
第１連結部１５および第２連結部１６は、ケース１のｘ方向両側に互いに離間して配置されており、隣り合うＬＥＤ照明ユニットＢ１と互いに連結した状態で回転させるためのものである。隣り合うＬＥＤ照明ユニットＢ１の一方の第１連結部１５と他方の第２連結部１６とは、互いに連結可能な形状や構造とされている。
【００３５】
図１８に示すように、隣り合うＬＥＤ照明ユニットＢ１の一方の第１連結部１５と他方の第２連結部１６とが連結されることにより、回転中心Ｏ１が形成される。回転中心Ｏ１は、隣り合うＬＥＤ照明ユニットＢ１を回転させる中心である。ＬＥＤ照明ユニットＢ１が回転する方向は特に限定されない。本実施形態においては、隣り合うＬＥＤ照明ユニットＢ１は、回転中心Ｏ１を通り且つｚ方向に延びる軸周りに回転する。
【００３６】
回転中心Ｏ１を中心とした回転においては、回転中心Ｏ１とＬＥＤ照明ユニットＢ１のユニット中心Ｏ２との距離である中心距離Ｄが一定である。ユニット中心Ｏ２は、ＬＥＤ照明ユニットＢ１の幾何形状によって決定される中心であり、本実施形態においては、ＬＥＤ照明ユニットＢ１（ケース１）のｚ方向視における中心である。あるいは、あるＬＥＤ照明ユニットＢ１の第１連結部１５によって規定される回転中心Ｏ１と、第２連結部１６によって規定される回転中心Ｏ１との中点が、ユニット中心Ｏ２に相当する。すなわち、あるＬＥＤ照明ユニットＢ１の第１連結部１５によって規定される回転中心Ｏ１と、第２連結部１６によって規定される回転中心Ｏ１との距離が不変である。
【００３７】
本実施形態においては、図７、図９、図１２、図１６および図１７に示すように、第１連結部１５は、係合部１５１および支持部１５９を有する。
【００３８】
係合部１５１は、第２連結部１６と係合することにより、第１連結部１５と第２連結部１６とを連結されるための部分である。本実施形態においては、係合部１５１は、柱状部１５２および頭部１５４を有する。柱状部１５２は、ｚ方向に延びる柱状の部分である。頭部１５４は、柱状部１５２のｚ方向一端（図中上端）に設けられており、柱状部１５２よりもｚ方向視において大きな部位である。図示された例においては、係合部１５１は、スリット１５５を有する。スリット１５５は、係合部１５１をｚ方向に略縦断しており、ｚ方向視においてｙ方向に沿っている。スリット１５５は、係合部１５１の上端において開口している。
【００３９】
支持部１５９は、第１連結部１５を底板部１１および端板部１３によって支持するための部位である。支持部１５９は、端板部１３のｚ方向下端および底板部１１のｘ方向一端からｘ方向に延びている。図示された例においては、支持部１５９は、ｚ方向を厚さ方向とする板状である。
【００４０】
本実施形態においては、図８、図９、図１２、図１６および図１７に示すように、第２連結部１６は、係合部１６１および支持部１６９を有する。
【００４１】
係合部１６１は、第１連結部１５と係合することにより、第１連結部１５と第２連結部１６とを連結されるための部分である。本実施形態においては、係合部１６１は、筒状部１６２およびフランジ部１６４を有する。筒状部１６２は、ｚ方向を軸方向とする筒状の部位である。筒状部１６２の内径は、第１連結部１５の柱状部１５２の外径と略同じか若干大きく、頭部１５４の外径よりも小さい。これにより、筒状部１６２には、柱状部１５２が挿通可能であり、頭部１５４は、挿通不可である。フランジ部１６４は、筒状部１６２のｚ方向一端（図中上端）に設けられており筒状部１６２からｘ方向およびｙ方向に延出している。フランジ部１６４は、ｚ方向を厚さ方向とする板状である。
【００４２】
支持部１６９は、第２連結部１６を底板部１１および端板部１３によって支持するための部位である。支持部１６９は、端板部１３のｚ方向下端および底板部１１のｘ方向他端からｘ方向に延びている。図示された例においては、支持部１６９は、ｚ方向を厚さ方向とする板状である。
【００４３】
〔光源部２〕
光源部２は、ＬＥＤ照明装置Ａ１から発する光を生じさせるためのものである。本実施形態においては、光源部２は、ケース１に収容されている。図２、図４、図９〜図１１および図１６に示すように、光源部２は、基板２１、複数のＬＥＤ２２および複数の電子部品２３を有する。
【００４４】
基板２１は、複数のＬＥＤ２２を支持し、複数のＬＥＤ２２への導通経路を構成するものである。基板２１は、たとえばエポキシ樹脂からなる基材と、この基材上に形成された配線パターンとからなる。本実施形態においては、基板２１は、ｘ方向を長手方向とし、ｙ方向を幅方向とし、ｚ方向を厚さ方向とする長矩形板状である。基板２１は、主面２１１を有する。主面２１１は、ｚ方向一方側（図中上側）を向く面である。
【００４５】
基板２１は、端子部２１２および貫通孔２１３を有する。端子部２１２は、前記配線パターンの一部であり、光源部２外から電力供給を受けるための部位である。図示された例においては、基板２１は、２つの端子部２１２を有する。貫通孔２１３は、基板２１の前記基材をｚ方向に貫通しており、基板２１（光源部２）をケース１に固定するために用いられる。図示された例においては、基板２１は、ｘ方向に互いに離間した２つの貫通孔２１３を有する。
【００４６】
複数のＬＥＤ２２は、通電されることによって発光する発光体であり、ｘ方向に配列されている。図示された例においては、光源部２は、３つのＬＥＤ２２を有しているが、ＬＥＤ２２の個数は特に限定されない。また、複数のＬＥＤ２２は、ｘ方向に複数列に配置されていてもよい。図示された例においては、複数のＬＥＤ２２は、一定のピッチＰで配列されている。また、図１８に示すように、本実施形態においては、隣り合うＬＥＤ照明ユニットＢ１が互いに一直線をなす状態（図１８において実線で示す状態）において、最も近いＬＥＤ２２同士の距離は、ピッチＰと同じである。
【００４７】
ＬＥＤ２２は、ＬＥＤチップ（図示略）を含む。ＬＥＤ２２は、ＬＥＤチップ単体からなるものでも、ＬＥＤチップ以外の構成要素を含むものであってもよい。ＬＥＤ２２の構成例としては、たとえばＬＥＤチップが搭載されたモジュール基板またはリードと、ＬＥＤチップを覆う透光樹脂とを含む構成が挙げられる。ＬＥＤチップの発光色は特に限定されず、たとえば青色光を発する。また、透光樹脂は、たとえば透明な樹脂に蛍光材料が混入された材質によって形成される。この蛍光材料は、ＬＥＤチップからの青色光によって励起されることにより、黄色光を発する。このような構成により、ＬＥＤ２２は、白色光を発する構成とすることができる。
【００４８】
複数の電子部品２３は、複数のＬＥＤ２２への電力供給が適切になされるために機能する。複数の電子部品２３は、基板２１の主面２１１に搭載されており、たとえばチップ抵抗器、ダイオード等である。
【００４９】
〔カバー４〕
カバー４は、ケース１に取り付けられており、光源部２を覆っている。カバー４は、光源部２からの光を透過させる材料からなり、たとえば透明な樹脂からなる。なお、カバー４は、光源部２からの光を拡散させつつ透過させる材料からなるものであってもよい。図示された例においては、カバー４は、透明な材料からなる。図１、図２、図５、図９〜図１２および図１６に示すように、カバー４は、天板部４１および一対の端板部４２を有する。
【００５０】
天板部４１は、光源部２に対してｚ方向に位置する部位であり、ｘ方向を長手方向とし、ｙ方向を幅方向とし、ｚ方向を厚さ方向とする、長矩形板状である。図示された例においては、天板部４１は、複数のレンズ部４１１を有する。複数のレンズ部４１１は、ｘ方向に互いに離間して配置されており、ｚ方向視において複数のＬＥＤ２２に重なっている。すなわち、図示された例においては、複数のレンズ部４１１の個数は３つであり、ピッチＰで配列されている。図１５に示すように、図示された例においては、レンズ部４１１は、凸レンズによって構成されている。
【００５１】
一対の端板部４２は、ｘ方向に互いに離間して配置されており、天板部４１のｘ方向両端付近に設けられている。図９に示すように、一対の端板部４２は、ケース１の一対の端板部１３のｘ方向内側に位置する。端板部４２は、天板部４１のｚ方向図中下面から延出しており、ｘ方向視において矩形状の板状である。端板部４２は、突起４２１を有する。突起４２１は、端板部４２のｘ方向外面から突出している。図９に示すように、突起４２１は、ケース１の端板部１３の凹部１３２に収容され、あるいは嵌まり込むことにより、カバー４をケース１に対して固定するための部位である。
【００５２】
〔磁力部材５〕
磁力部材５は、ＬＥＤ照明装置Ａ１を外部の磁性体からなる取付対象に固定するためのものである。磁力部材５は、たとえばフェライト磁石からなる。図示された例においては、図６、磁力部材５は、図９、図１０および図１６に示すように、挿通部５１および係止部５２を有する。
【００５３】
挿通部５１は、ケース１の底板部１１の保持孔１１２に挿通される部位であり、底板部１１からｚ方向外方（図中下方）に露出している。図示された例においては、挿通部５１は、直方体形状である。係止部５２は、挿通部５１に対してｚ方向上方に取り付けられている。係止部５２は、ｘ方向寸法が挿通部５１および保持孔１１２よりも大きい。このため、係止部５２は、磁力部材５が保持孔１１２を通じて外部に抜け出てしまうことを阻止している。図示された例においては、係止部５２は、直方体形状であり、ｙ方向寸法が挿通部５１のｙ方向寸法よりも小さい。係止部５２のｙ方向両側には、後述のケーブル３Ａ，３Ｂの被収容部３１Ａ，３１Ｂが配置される。
【００５４】
〔接続部材６〕
接続部材６は、ケーブル３Ａ，３Ｂと光源部２の基板２１とを接続するためのものである。接続部材６は、金属等の導電性材料からなり、たとえば金属板を折り曲げ加工等することによって形成されている。図示された例においては、図２、図４、図９、図１１、図１３、図１４および図１６に示すように、接続部材６は、固定部６１、迂回部６２、連結部６３および一対の刃板部６４を有する。
【００５５】
固定部６１は、基板２１の基板２１５に当接する姿勢で基板２１に固定される部位である。固定部６１は、たとえばｚ方向視において矩形状である。固定部６１は、貫通孔６１１を有する。貫通孔６１１は、光源部２をケース１に取り付けるためのボルト２９を挿通させるために設けられている。
【００５６】
迂回部６２は、固定部６１のｙ方向一端に繋がっており、ｚ方向に延出している。迂回部６２は、基板２１のｙ方向外側に位置する部位である。連結部６３は、迂回部６２のｚ方向下端に繋がっており、ｙ方向に延出している。迂回部６２は、基板２１を挟んで固定部６１とは反対側に位置している。
【００５７】
一対の刃板部６４は、連結部６３のｘ方向両端に繋がっており、ｚ方向下方に延出している。刃板部６４は、スリット６４１を有する。スリット６４１は、ｚ方向に延びており刃板部６４のｚ方向下端に開口している。
【００５８】
〔ケーブル３Ａ，３Ｂ〕
一対のケーブル３Ａ，３Ｂは、たとえば図外の電源部から、光源部２を発光させるための電力を供給する経路である。本実施形態においては、一対のケーブル３Ａ，３Ｂは、複数のＬＥＤ照明ユニットＢ１のそれぞれに接続されている。図１〜図１３および図１６に示すように、ケーブル３Ａは、被収容部３１Ａおよび露出部３２Ａを有し、ケーブル３Ｂは、被収容部３１Ｂおよび露出部３２Ｂを有する。ケーブル３Ａおよびケーブル３Ｂは、芯線３３１Ａ、３３１Ｂと被覆３３２Ａ，３３２Ｂとからなる。芯線３３１Ａ，３３１Ｂは、銅等の金属からなる通電部位である。被覆３３２Ａ，３３２Ｂは、たとえば樹脂等の絶縁材料からなり、芯線３３１Ａ，３３１Ｂを覆っている。
【００５９】
被収容部３１Ａおよび被収容部３１Ｂは、ケーブル３Ａおよびケーブル３Ｂのうち、ＬＥＤ照明ユニットＢ１のケース１に収容された部位である。図示された例においては、被収容部３１Ａおよび被収容部３１Ｂは、ケース１内においてｘ方向に沿って配置されており、互いに略平行である。図１０に示すように、被収容部３１Ａおよび被収容部３１Ｂは、磁力部材５の係止部５２を挟んで、ｙ方向両側に配置されている。
【００６０】
図１６に示すように、ＬＥＤ照明装置Ａ１の組立においては、基板２１のｙ方向両側から２つの接続部材６が基板２１に嵌められる。そして、２つのボルト２９によって基板２１（光源部２）がケース１に取り付けられる。この際、ケース１に収容された被収容部３１Ａおよび被収容部３１Ｂに２つの接続部材６の一対ずつの刃板部６４が押し込まれる。図示された例においては、一方の接続部材６の一対の刃板部６４が被収容部３１Ａに押し込まれ、他方の接続部材６の一対の刃板部６４が被収容部３１Ｂに押し込まれる。
【００６１】
被収容部３１Ａを例にとると、刃板部６４が被収容部３１Ａの被覆３３２Ａを切断するようにｚ方向下方へと進行する。そして、刃板部６４のスリット６４１に被収容部３１Ａの芯線３３１Ａが挟み込まれる格好となる。これにより、一方の接続部材６と芯線３３１Ａとが導通し、同様に他方の接続部材６と芯線３３１Ｂとが導通する。したがって、ケーブル３Ａおよびケーブル３Ｂが基板２１の一対の端子部２１２に接続される。
【００６２】
図１〜図６、図９および図１２に示すように露出部３２Ａ、露出部３２Ｂは、一対のケーブル３Ａ，３Ｂのうちケース１の外側に位置し、外部に露出する部位である。本実施形態においては、露出部３２Ａ、露出部３２Ｂは、迂回部３２１Ａ，３２１Ｂを有する。
【００６３】
迂回部３２１Ａは、ｙ方向視において回転中心Ｏ１（第１連結部１５および第２連結部１６）と重なる部位である。そして、迂回部３２１Ａは、図３に示すように、ｙ方向一方側（図中上側）からｙ方向他方側（図中下側）に迂回する部位である。迂回部３２１Ｂは、ｙ方向視において回転中心Ｏ１（第１連結部１５および第２連結部１６）と重なる部位である。そして、迂回部３２１Ｂは、図３に示すように、ｙ方向他方側（図中下側）からｙ方向一方側（図中上側）に迂回する部位である。すなわち、図３に示すように迂回部３２１Ａと迂回部３２１Ｂとは、ｚ方向視においてケーブル３Ａ（露出部３２Ａ）とケーブル３Ｂ（ケーブル３Ｂ）が回転中心Ｏ１（第１連結部１５および第２連結部１６）を中心として交差する部分を構成している。
【００６４】
次に、ＬＥＤ照明装置Ａ１の作用について説明する。
【００６５】
本実施形態によれば、図１８に示すように、隣り合うＬＥＤ照明ユニットＢ１は、第１連結部１５および第２連結部１６が連結されることによって形成された回転中心Ｏ１を中心として回転する。このため、隣り合うＬＥＤ照明ユニットＢ１は、互いのｘ方向（長手方向）が平行な状態で、ｙ方向に離間するような動きが規制される。このため、ＬＥＤ照明装置Ａ１を点灯させた際に、複数のＬＥＤ照明ユニットＢ１によって形成される光の帯が、不連続となり歪な印象を与えることを回避することが可能である。したがって、ＬＥＤ照明装置Ａ１を点灯させた際の外観を向上させることができる。また、ＬＥＤ照明ユニットＢ１のｘ方向両側に第１連結部１５および第２連結部１６が設けられていることにより、所望の個数のＬＥＤ照明ユニットＢ１によってＬＥＤ照明装置Ａ１を構成することができる。
【００６６】
回転中心Ｏ１とユニット中心Ｏ２との中心距離Ｄは一定であり、不変である。このため、隣り合うＬＥＤ照明ユニットＢ１が回転した際に、隣り合うＬＥＤ照明ユニットＢ１の距離が意図せず変化することを防止することが可能である。したがって、隣り合うＬＥＤ照明ユニットＢ１の距離がばらつくことを抑制することができる。これは、ＬＥＤ照明装置Ａ１による照明の見栄えを向上させるのに好ましい。なお、本実施形態とは異なり、回転中心Ｏ１とユニット中心Ｏ２との中心距離Ｄが変化する構成であってもよい。
【００６７】
１つのＬＥＤ照明ユニットＢ１の複数のＬＥＤ２２は、一定のピッチＰで配列されている。また、隣り合うＬＥＤ照明ユニットＢ１の長手方向（ｘ方向）が一致する状態において、これらのＬＥＤ照明ユニットＢ１の最も近いＬＥＤ２２同士の距離は、ピッチＰと同じである。これにより、ＬＥＤ照明装置Ａ１が発光した際に、ＬＥＤ照明ユニットＢ１ごとに光が偏って視認されることを抑制することが可能であり、ＬＥＤ照明装置Ａ１全体において複数のＬＥＤ２２がピッチＰで配列されたような外観を実現することが可能である。このような利点は、ＬＥＤ照明装置Ａ１を構成するＬＥＤ照明ユニットＢ１の個数が多いほどより顕著となる。
【００６８】
一対のケーブル３Ａ，３Ｂが、迂回部３２１Ａ，３２１Ｂを有する。たとえば、一対のケーブル３Ａ，３Ｂが迂回部３２１Ａ，３２１Ｂを有さない構成であって、露出部３２Ａおよび露出部３２Ｂが平行に設けられている構成を想定する。この場合、隣り合うＬＥＤ照明ユニットＢ１が回転すると、回転の外側においては、露出部３２Ａまたは露出部３２Ｂに過大な引張が生じる。一方、回転の内側においては、露出部３２Ａまたは露出部３２Ｂに過大な屈曲が生じる。これに対し本実施形態においては、回転中心Ｏ１を中心として隣り合うＬＥＤ照明ユニットＢ１を回転させた場合に、迂回部３２１Ａ，３２１Ｂが設けられていることにより、ケーブル３Ａ，３Ｂの過大な引張や屈曲が生じることを抑制することができる。
【００６９】
図６および図１９に示すように、ケース１の底板部１１には、スリット１１４が形成されている。図１９は、たとえば、ＬＥＤ照明装置Ａ１の最も端に設けられたＬＥＤ照明ユニットＢ１を示しており、一対のケーブル３Ａ，３Ｂがケース１から延出している。ＬＥＤ照明装置Ａ１の美観を維持する観点から、この延出部分は、たとえば切断線ＣＬに沿って切断されることが好ましい。この結果、一対のケーブル３Ａ，３Ｂの一旦は、ケース１の底板部１１および側板部１２の一旦と略一致する状態となる。
【００７０】
しかし、さらに異なる形態においてＬＥＤ照明装置Ａ１を使用したい場合、図示されたＬＥＤ照明ユニットＢ１の隣にさらにＬＥＤ照明ユニットＢ１を配置したいという要請が生じうる。この場合、切断した一対のケーブル３Ａ，３Ｂに、追加のケーブルを接続する必要がある。本実施形態によれば、図２１に示すように、スリット１１４から一対のケーブル３Ａ，３Ｂをｚ方向下方に露出させ、被覆３３２Ａおよび被覆３３２Ｂから芯線３３１Ａおよび芯線３３１Ｂを延出させることにより、追加のケーブルを適切に接続することが可能である。したがって、ある個数のＬＥＤ照明ユニットＢ１を備える状態で使用されたＬＥＤ照明装置Ａ１に、さらにＬＥＤ照明ユニットＢ１をスムーズに追加して使用することができる。
【００７１】
光源部２をケース１に取り付けるためにボルト２９を締結すると、接続部材６の固定部６１が基板２１の端子部２１２に当接する。また、これと並行して、接続部材６の刃板部６４が被収容部３１Ａ，３１Ｂの被覆３３２Ａ，３３２Ｂを切断し、刃板部６４のスリット６４１に芯線３３１Ａ，３３１Ｂが挟まれる格好となる。したがって、基板２１（光源部２）をケース１に取り付ける作業によって、光源部２と一対のケーブル３Ａ，３Ｂとの接続を完了することができる。接続部材６が一対の刃板部６４を有する構成は、接続部材６と一対のケーブル３Ａ，３Ｂとの導通をより確実にするのに好ましい。また、本実施形態においては、一対の刃板部６４の間に固定部６１の貫通孔６１１が設けられている。このため、ボルト２９による締結力が、一対の刃板部６４にバランス良く付与される。これは、接続部材６を一対のケーブル３Ａ，３Ｂに対して傾かないように押し込むのに好ましい。
【００７２】
磁力部材５を有することにより、ボルト等の部材を持ちることなく磁性体からなる取付対象に容易に取り付けることが可能である。また、使用状態の変更時や使用終了時に、ＬＥＤ照明装置Ａ１と取付対象から容易に取り外すことが可能である。
【００７３】
図２２〜図２９は、本発明の変形例および他の実施形態を示している。なお、これらの図において、上記実施形態と同一または類似の要素には、上記実施形態と同一の符号を付している。
【００７４】
＜カバー４  変形例＞
図２２（ａ），（ｂ）は、カバー４の変形例を示す要部拡大断面図である。同図（ａ）に示す変形例においては、カバー４の天板部４１に上述した例のレンズ部４１１が形成されていない。このような例は、ＬＥＤ２２の光Ｌの指向性を高める要請が強くない場合に採用される。
【００７５】
同図（ｂ）に示す例においては、カバー４の天板部４１にレンズ部４１２が形成されている。レンズ部４１２は、ｚ方向視においてレンズ部４１１と同じ位置に設けられている。レンズ部４１２は、天板部４１のうちＬＥＤ２２と対向する面に設けられており、凹曲面からなる凹レンズである。このような例は、光Ｌをより広い範囲に向かわせることにより、ＬＥＤ２２の存在感を和らげる要請が強い場合に採用される。また、本例においては、カバー４は、光Ｌを拡散させつつ透過させる材料からなることが好ましく、たとえば乳白色の半透明の樹脂からなる。
【００７６】
＜第１連結部１５および第２連結部１６  変形例＞
図２３は、第１連結部１５および第２連結部１６の変形例を示す要部側面図であり、理解の便宜上、第２連結部１６を想像線で示している。図２４の（ａ）〜（ｃ）は、図２３のＸＸＩＶ−ＸＸＩＶ線に沿う要部拡大断面図である。本変形例においては、第１連結部１５の柱状部１５２に凸部１５３が形成されている。凸部１５３は、柱状部１５２の外周面から径方向外方に突出しており、ｚ方向に延びた形状である。第２連結部１６の筒状部１６２には、複数の凹部１６３が形成されている。複数の凹部１６３は、筒状部１６２の内周面が部分的に凹んだ部位である。複数の凹部１６３は、筒状部１６２の内周面の周方向に互いに離間して配置されており、各々がｚ方向に延びた形状である。図示された例においては、複数の凹部１６３は、たとえば３０°ずつ異なる方位に配置されている。
【００７７】
図２４（ａ）は、複数の凹部１６３のうち中央に位置する凹部１６３に凸部１５３が嵌まり込んだ状態を示している。この場合、隣り合うＬＥＤ照明ユニットＢ１は、互いの長手方向（ｘ方向）が一致するように一直線状の形態である。同図（ｂ）は、凸部１５３が１つ隣の凹部１６３に嵌まり込んだ状態を示している。これにより、隣り合うＬＥＤ照明ユニットＢ１は、互いの長手方向（ｘ方向）が３０°の角度をなす状態となる。同図（ｃ）は、凸部１５３がさらに１つ隣の凹部１６３に嵌まり込んだ状態を示している。これにより、隣り合うＬＥＤ照明ユニットＢ１は、互いの長手方向（ｘ方向）が６０°の角度をなす状態となる。
【００７８】
本変形例によれば、第１連結部１５および第２連結部１６が、隣り合うＬＥＤ照明ユニットＢ１の回転を、特定の相対角度（本例においては、３０°、６０°、９０°）において抑制する回転抑制機構を有するものとなっている。これは、複数のＬＥＤ照明ユニットＢ１の相対角度を所望の角度に固定して使用したい場合に好ましい。なお、凸部１５３および凹部１６３による機構は、回転抑制機構の一例であり、回転抑制機構の具体的構成は特に限定されない。
【００７９】
＜第２実施形態＞
図２５は、本発明の第２実施形態に係るＬＥＤ照明装置を示す平面図である。図２６は、図２５のＸＸＶＩ−ＸＸＶＩ線に沿う要部拡大断面図である。本実施形態のＬＥＤ照明装置Ａ２は、第１連結部１５および第２連結部１６の構成が上述した実施形態と異なる複数のＬＥＤ照明ユニットＢ２を備える。第１連結部１５の係合部１５１は、球状である。支持部１５９は、係合部１５１に連結されており、係合部１５１を支持している。第２連結部１６の係合部１６１は、球殻状であり、内径が係合部１５１の外径と略同じか若干大きい。また、図示された例においては、係合部１６１には、スリット１６５が設けられている。スリット１６５は、係合部１６１が広がることを促進するものであり、係合部１６１に係合部１５１を嵌め込むことを容易化する。
【００８０】
本実施形態においては、球殻状の係合部１６１に球状の係合部１５１が嵌め込まれることにより、回転中心Ｏ１が形成される。そして、隣り合うＬＥＤ照明ユニットＢ２は、回転中心Ｏ１を中心として、あらゆる方向に沿って回転可能である。すなわち、図２５に示すように、隣り合うＬＥＤ照明ユニットＢ２を、ｚ方向延びる軸周りに回転させてもよいし、図２６に示すように、ｙ方向に延びる軸周りに回転させてもよい。また、隣り合うＬＥＤ照明ユニットＢ２同士を、ｘ方向に延びる軸周りに互いにひねるように回転してもよい。
【００８１】
本実施形態によっても、上述した実施形態と同様に、隣り合うＬＥＤ照明ユニットＢ２の距離がばらつくことを抑制することができる。また、隣り合うＬＥＤ照明ユニットＢ２をあらゆる方向に沿って回転することが可能である。これにより、上述したＬＥＤ照明装置Ａ１が、たとえば平面上の取付対象に取り付けられるのに適しているのに対し、ＬＥＤ照明装置Ａ２は、たとえば円柱状の取付対象に巻きつけるように取り付けるのに適している。この場合、ＬＥＤ照明ユニットＢ２のカバー４の天板部４１を、取付対象の外周面が向く方向に揃えることができる。
【００８２】
＜第３実施形態＞
図２７は、本発明の第３実施形態に係るＬＥＤ照明装置Ａ３を示す斜視図である。図２８は、図２７のＸＸＶＩＩＩ−ＸＸＶＩＩＩ線に沿う断面図である。本実施形態のＬＥＤ照明装置Ａ３は、外ケース７を備えている。
【００８３】
外ケース７は、隣り合うＬＥＤ照明ユニットＢ１の回転を阻止するものである。外ケース７は、ＬＥＤ照明ユニットＢ１のケース１を収容する構成であり、図示された例においては、底板部７１および一対の側板部７２を有する。
【００８４】
底板部７１は、ｘ方向を長手方向とし、ｙ方向を幅方向とし、ｚ方向を厚さ方向とする長矩形板状である。一対の側板部７２は、底板部７１のｙ方向両端に繋がっている。側板部７２は、ｘ方向を長手方向とし、ｚ方向を幅方向とし、ｙ方向を厚さ方向とする長矩形板状である。外ケース７のｘ方向寸法は、２つのＬＥＤ照明ユニットＢ１のｘ方向寸法と略同じである。ただし、図示された例においては、外ケース７のｘ方向両側から第１連結部１５と第２連結部１６とが突出している。
【００８５】
側板部７２には、凸部７２１が形成されている。凸部７２１は、側板部７２のｙ方向内面からｙ方向内側に突出している。図示された例においては、凸部７２１は、ｘ方向に長く延びている。凸部７２１は、ＬＥＤ照明ユニットＢ１のケース１の側板部１２の溝部１２１に収容される。これにより、外ケース７によって、ＬＥＤ照明ユニットＢ１が保持される。
【００８６】
本実施形態によっても、隣り合うＬＥＤ照明ユニットＢ１の距離がばらつくことを抑制することができる。また、複数のＬＥＤ照明ユニットＢ１を互いに回転しない状態でＬＥＤ照明装置Ａ３を使用することができる。すなわち、ＬＥＤ照明装置Ａ３は、複数のＬＥＤ照明ユニットＢ１が所望の相対角度をなすように使用することにくわえて、複数のＬＥＤ照明ユニットＢ１が所定の相対角度、たとえば相対角度が０の状態で固定して使用することができる。
【００８７】
＜第３実施形態  変形例＞
図２９は、ＬＥＤ照明装置Ａ３の変形例を示す断面図である。本変形例においては、ＬＥＤ照明装置Ａ３は、外カバー８を備える。外カバー８は、外ケース７に取り付けられており、複数のＬＥＤ照明ユニットＢ１をｚ方向上側から覆っている。外カバー８は、たとえばＬＥＤ照明ユニットＢ１からの光を拡散させつつ透過させる材質からなる。外カバー８のｘ方向寸法は、たとえば外ケース７と同じである。
【００８８】
外カバー８は、天板部８１および一対の側板部８２を有する。天板部８１は、複数のＬＥＤ照明ユニットＢ１に対してｚ方向上方に位置する部分である。図示された例においては、天板部８１は、ｚ方向上方に湾曲した湾曲板状である。なお、天板部８１の形状は特に限定されず、たとえば平板状や凹面状であってもよい。一対の側板部８２は、天板部８１のｙ方向両端からｚ方向下方に延出している。一対の側板部８２は、それぞれ凸部８２２を有する。凸部８２２は、側板部８２からｙ方向内方に突出しており、たとえば外カバー８のｘ方向全長に設けられている。
【００８９】
本変形例においては、外ケース７の一対の側板部７２のそれぞれに、溝部７２２が形成されている。溝部７２２は、側板部７２のｙ方向外面から凹んでおり、外ケース７のｘ方向全長にわたって形成されている。一対の溝部７２２には、一対の凸部８２２が嵌まり込む。これにより、外カバー８が外ケース７に対して取り付けられている。
【００９０】
本変形例によれば、複数のＬＥＤ照明ユニットＢ１からの光を、外カバー８によってさらに異なる態様で外部に出射することが可能である。これにより、たとえば、ＬＥＤ照明ユニットＢ１のカバー４が透明な材質からなる場合に、拡散させつつ透過させる材質からなる外カバー８を装着した状態と装着しない状態とを選択し、光を拡散させる使用態様と光を拡散させない使用態様とを適宜選択することができる。
【００９１】
本発明に係るＬＥＤ照明装置は、上述した実施形態に限定されるものではない。本発明に係るＬＥＤ照明装置の各部の具体的な構成は、種々に設計変更自在である。
【符号の説明】
【００９２】
Ａ１，Ａ２，Ａ３：ＬＥＤ照明装置
Ｂ１，Ｂ２：ＬＥＤ照明ユニット
１        ：ケース
２        ：光源部
３Ａ，３Ｂ：ケーブル
４        ：カバー
５        ：磁力部材
６        ：接続部材
７        ：外ケース
８        ：外カバー
１１      ：底板部
１２      ：側板部
１３      ：端板部
１５      ：第１連結部
１６      ：第２連結部
２１      ：基板
２２      ：ＬＥＤ
２３      ：電子部品
２９      ：ボルト
３１Ａ，３１Ｂ：被収容部
３２Ａ，３２Ｂ：露出部
４１      ：天板部
４２      ：端板部
５１      ：挿通部
５２      ：係止部
６１      ：固定部
６２      ：迂回部
６３      ：連結部
６４      ：刃板部
７１      ：底板部
７２      ：側板部
８１      ：天板部
８２      ：側板部
１１１    ：雌ねじ部
１１２    ：保持孔
１１３    ：凹部
１１４    ：スリット
１２１    ：溝部
１３１    ：スリット
１３２    ：凹部
１５１    ：係合部
１５２    ：柱状部
１５３    ：凸部
１５４    ：頭部
１５５    ：スリット
１５９    ：支持部
１６１    ：係合部
１６２    ：筒状部
１６３    ：凹部
１６４    ：フランジ部
１６５    ：スリット
１６９    ：支持部
２１１    ：主面
２１２    ：端子部
２１３    ：貫通孔
２１５    ：基板
３２１Ａ，３２１Ｂ：迂回部
３３１Ａ，３３１Ｂ：芯線
３３２Ａ，３３２Ｂ：被覆
４１１，４１２：レンズ部
４２１    ：突起
６１１    ：貫通孔
６４１    ：スリット
７２１    ：凸部
７２２    ：溝部
８２２    ：凸部
ＣＬ      ：切断線
Ｄ        ：中心距離
Ｌ        ：光
Ｏ１      ：回転中心
Ｏ２      ：ユニット中心
Ｐ        ：ピッチ
【図１】
2019106340.tif 000003
【図２】
2019106340.tif 000004
【図３】
2019106340.tif 000005
【図４】
2019106340.tif 000006
【図５】
2019106340.tif 000007
【図６】
2019106340.tif 000008
【図７】
2019106340.tif 000009
【図８】
2019106340.tif 000010
【図９】
2019106340.tif 000011
【図１０】
2019106340.tif 000012
【図１１】
2019106340.tif 000013
【図１２】
2019106340.tif 000014
【図１３】
2019106340.tif 000015
【図１４】
2019106340.tif 000016
【図１５】
2019106340.tif 000017
【図１６】
2019106340.tif 000018
【図１７】
2019106340.tif 000019
【図１８】
2019106340.tif 000020
【図１９】
2019106340.tif 000021
【図２０】
2019106340.tif 000022
【図２１】
2019106340.tif 000023
【図２２】
2019106340.tif 000024
【図２３】
2019106340.tif 000025
【図２４】
2019106340.tif 000026
【図２５】
2019106340.tif 000027
【図２６】
2019106340.tif 000028
【図２７】
2019106340.tif 000029
【図２８】
2019106340.tif 000030
【図２９】
2019106340.tif 000031